(57)【特許請求の範囲】
【請求項１】
送風手段によって室内ユニットのケーシング内に吸引した空気を、暖房用熱交換器ないし冷房用熱交換器を通過させることにより温調し、該温調した空気を被空調室内へ吹き出すことにより空気調和を図る空気調和機であって、
前記送風手段の作動によって前記ケーシングに形成された第１の吸込み口から吸引される空気を前記暖房用熱交換へ案内する第１の吸込み部と、
前記送風手段の作動によって前記ケーシングに形成された第２の吸込み口から吸引される空気を前記冷房用熱交換器へ案内する第２の吸込み部と、
前記第１または第２の吸込み部の何れか一方の空気の流れを遮る閉塞手段と、
運転モードに基づいて前記第１の吸込み口または第２の吸込み口の何れか一方を閉塞する全閉位置又は、前記第１の吸込み口と前記第２の吸込み口のそれぞれの一部を閉塞する半閉位置の何れかを選択して前記閉塞手段を作動させる作動手段と、
を含むことを特徴とする空気調和機。
【発明の詳細な説明】
【０００１】
【発明の属する技術分野】
本発明は、室内ユニットに冷房用熱交換器と暖房用熱交換器が設けられた空気調和機に関する。
【０００２】
【従来の技術】
室内の空気調和を図る空気調和機には、冷媒を用いた冷凍サイクルによって冷暖房運転を行う一般的な空気調和機に加えて、冷凍サイクルによって冷房運転を行うと共に温水を用いて効率的な暖房運転を行う温水空気調和機（以下「エアコン」と言う）がある。
【０００３】
このようなエアコンの室内ユニットには、冷房用熱交換器として冷媒が循環される冷媒熱交換器が設けられ、暖房用熱交換器として温水が循環される温水熱交換器が設けられている。冷房運転を行うときには、冷媒を用いた冷凍サイクルによって冷媒熱交換器を冷却し、暖房運転を行うときには、室外に設けている温水機によって生成された温水が室内ユニットの温水熱交換器へ供給されることにより、温水熱交換器を通過する空気が加熱される。すなわち、エアコンでは、冷媒熱交換器によって冷却された空気または温水熱交換器で加熱された空気を室内へ吹き出すことにより、室内を暖房するようになっている。
【０００４】
また、冷媒熱交換器と温水熱交換器を設けることにより、冷暖房のみならず、冷媒熱交換器で冷却、除湿を行ったのち温水熱交換器で再加熱を行った空気を室内へ吹き出すことができ、室内の除湿を行うことができる。このとき、再加熱量を変えると、暖め気味の除湿や冷やし気味の除湿を行うことができる。
【０００５】
【発明が解決しようとする課題】
しかしながら、このようなエアコンでは、室内ユニット内の単一の風路内に温水熱交換器と冷媒熱交換器とが置かれているので、冷房運転時、暖房運転時、除湿運転時のいずれにおいても、被調和空気は、両熱交換器を通過する必要があり、冷房運転時や暖房運転時のように、何れか一方の熱交換器しか使用しないときにも、他方の熱交換器を通過するために、この熱交換器が通風抵抗となって送風能力を低下させると共に騒音源となっていた。
【０００６】
本発明は上記事実に鑑みてなされたものであり、冷房用熱交換器及び暖房用熱交換器を用いて空調を行うときの送風能力の低下を抑えて、効率的な空調を可能とする空気調和機を提案することを目的とする。
【０００７】
【課題を解決するための手段】
上記課題を解決するための本発明は、送風手段によって室内ユニットのケーシング内に吸引した空気を、暖房用熱交換器ないし冷房用熱交換器を通過させることにより温調し、該温調した空気を被空調室内へ吹き出すことにより空気調和を図る空気調和機であって、前記送風手段の作動によって前記ケーシングに形成された第１の吸込み口から吸引される空気を前記暖房用熱交換へ案内する第１の吸込み部と、前記送風手段の作動によって前記ケーシングに形成された第２の吸込み口から吸引される空気を前記冷房用熱交換器へ案内する第２の吸込み部と、前記第１または第２の吸込み部の何れか一方の空気の流れを遮る閉塞手段と、運転モードに基づいて前記第１の吸込み口または第２の吸込み口の何れか一方を閉塞する全閉位置又は、前記第１の吸込み口と前記第２の吸込み口のそれぞれの一部を閉塞する半閉位置の何れかを選択して前記閉塞手段を作動させる作動手段と、を含むことを特徴とする。
【０００８】
この発明によれば、室内ユニットのケーシング内に第１の吸込み部と第２の吸込み部を設け、暖房用熱交換器と冷房用熱交換器に対して別々の風路を形成している。また、作動手段は、運転モードに基づいて閉塞手段を作動するときに、第１の吸込み口の全閉位置、第２の吸込み口の全閉位置及び第１の吸込み口と第２の吸込み口のそれぞれの半閉位置の何れかを選択して閉塞する。
これにより、運転モードが暖房運転となっているときには、第２の吸込み部が閉塞されるので、暖房用熱交換器を通過して加熱された空気が被空調室内へ吹き出され、運転モードが冷房運転となっているときには、第１の吸込み部が閉塞されるので、第１の吸込み口から吸い込まれて冷房用熱交換器を通過して冷却された空気が被空調室内へ吹き出される。
【０００９】
したがって、被空調室内へ吹き出される空気が、暖房用熱交換器及び冷房用熱交換器のいずれか一方のみを通過することになり、暖房用熱交換器と冷房用熱交換とを通過するのに比べて通風抵抗を下げることができ、送風効率が向上され、所望の風量を得るために送風手段による送風能力を上げる必要がなくなる。また、被空調室内へ吹出される空気は、暖房用熱交換器か冷房用熱交換器の一方のみを通過するため、暖房用熱交換器と冷房用熱交換器の両方を通過するときに比べて通過時に発生する音が小さくなるために、この音が室内ユニットから発せられる騒音となってしまうのを抑えることができる。
【００１０】
また、遮蔽手段を設けることにより、暖房運転時には暖房用熱交換器のみを通過した空気を吹き出し、冷房運転時には、冷房用熱交換器を通過した空気のみを吹き出すため、効率的に被空調室内の空調を行うことができる。すなわち、遮蔽手段を設けない場合、温調された空気と温調されない空気が混じることになるが、遮蔽手段を設けることにより温調されない空気が温調された空気に混じることが無いので、より効率的に被空調室内の空調を行うことができる。
さらに、暖房用熱交換器と冷房用熱交換器を同時に用いた空調となる、除湿しながら暖房を行うことができ、被空調室内の快適性を向上させることができる。
【００１１】
なお、閉塞手段は、第１及び第２の吸込み口を閉塞しても良く、また、暖房用熱交換器及び冷房用熱交換器の吸込み口側または吸込み口と反対側で暖房用熱交換器及び冷房用熱交換器を通過するのを妨げるものであっても良い。
【００１４】
【発明の実施の形態】
以下、図面を参照しながら本発明の実施の形態を説明する。
【００１５】
図１乃至図５には、本実施の形態に適用した空気調和機（以下「エアコン１０」と言う）が示されている。図１に示されるように、エアコン１０は、空気調和を図る室内に配置された室内ユニット２２を備えた室内機１２と、冷媒ユニット２４と温水ユニット２６を備えて室外に設置される室外機１４によって構成された、所謂温水エアコンとなっている。
【００１６】
室内機１２の室内ユニット２２には、冷凍サイクルによって循環される冷媒によって空気を冷却する冷房用熱交換器である蒸発器１６と循環される温水によって空気を加熱する暖房用熱交換器である放熱器１８とが設けられている。蒸発器１６は、室外機１４の冷媒ユニット２４との間で冷凍サイクルを形成し、放熱器１８は、室外機１４の温水ユニット２６との間で温水を循環する循環路を形成している。エアコン１０では、主に冷凍サイクルによって冷房運転及び除湿（ドライ）運転を行い、温水の循環によって暖房運転を行う。
【００１７】
なお、室外機１４は、冷媒ユニット２４と温水ユニット２６とが同一の箱体内に設けられた一体型であってもよく、冷媒ユニット２４と温水ユニット２６と別々の箱体に設けた別体型であってもよい。また、エアコン１０は、冷媒ユニット２４と温水ユニット２６がそれぞれ複数の室内機１２の室内ユニット２２に接続される所謂マルチタイプであってもよく、さらに、温水ユニット２６は、室内ユニット２２の他に、床暖房を行うための床暖マットや所謂浴室乾燥機との間で温水の循環を行う構成であっても良い。
【００１８】
室内ユニット２２の蒸発器１６は、室外機１４の冷媒ユニット２４との間が冷媒配管２８Ａ、２８Ｂによって接続されている。
【００１９】
冷媒ユニット２４では、冷媒配管２８Ａ、２８Ｂの一方（冷媒配管２８Ａ）がバルブ３２に接続されており、このバルブ３２からマフラー３４Ａ及びアキュムレータ３８を介してコンプレッサ４０に接続されている。また、コンプレッサ４０は、マフラー３４Ｂを介して熱交換器（凝縮器）４２に接続されている。また、熱交換器４２は、キャピラリチューブ４４及びストレーナ４６を介してバルブ４８に接続されており、さらに、このバルブ４８には、他方の冷媒配管２８Ｂが接続されている。これによって、エアコン１０では、室内ユニット２２と冷媒ユニット２４との間に密閉された冷媒循環路、すなわち冷凍サイクルが形成されている。
【００２０】
この冷凍サイクルでは、運転モードが冷房モードまたは除霜モード（ドライモード）に選択されることにより、コンプレッサ４０が運転されて冷媒が循環される。なお、冷媒ユニット２４には、熱交換器４２の近傍に熱交換器４２の冷却用の冷却ファン５３が設けられており、この冷却ファン５３によって熱交換器４２の温度上昇を抑えるようにしている。なお、図１には、それぞれの運転モードにおける冷媒の流れを示している。
【００２１】
室内ユニット２２の熱交換器２０には、後述する熱交換器温度センサが設けられており、冷房運転時に蒸発器１６の温度が所定温度以下（例えば６．４°Ｃ以下）とならないようにコンプレッサ４０の能力を制御しながら冷房運転を行うようになっている。
【００２２】
室内ユニット２２の放熱器１８は、例えばフレキシブルな温水配管（以下、「温水チューブ」という）３０Ａ、３０Ｂを介して室外機１４の温水ユニット２６に接続されている。一方の温水チューブ３０Ａは、温水ユニット２６の温水入口ニップル５６Ａへ接続され、他方の温水チューブ３０Ｂは、温水ユニット２６の温水出口ニップル５６Ｂへ接続されている。
【００２３】
また、室内ユニット２２の側では、温水チューブ３０Ｂが温水入口ニップル６６Ａへ接続され、この温水入口ニップル６６Ａから流量可変弁６８を介して放熱器１８に接続され、温水チューブ３０Ａが温水出口ニップル６６Ｂを介して放熱器１８に接続されている。また、温水ユニット２６内では、温水出口ニップル５６Ｂが、温水熱交換器６４、ポンプ６２及びプレッシャタンク６０を介して温水入口ニップル５６Ａに接続されており、これによって、室内ユニット２２と温水ユニット２６の間で密閉された温水の循環路が形成されている。
【００２４】
温水ユニット２６には、機外から燃焼用のガスが供給されるガスバーナー７０が設けられており、このガスバーナー７０によって温水熱交換器６４を加熱することにより、温水熱交換器６４内を通過する水から温水を生成する。なお、ガスバーナー７０は、ガス比例弁１８２及びガス電磁弁１８０Ａ、１８０Ｂを介してガスが供給される。また、プレッシャタンク６０は、プレッシャキャップ５８を介してドレインタンク７２に接続されており、温水循環路を循環する水（例えば水道水）は、ドレインタンク７２を介して排出される。
【００２５】
なお、温水ユニット２６には、温水出口ニップル５６Ｂ、温水入口ニップル５６Ａに並んで温水出口ニップル８０Ｂ、温水入口ニップル８０Ａが設けられている。この温水出口ニップル８０Ｂ及び温水入口ニップル８０Ａの間には、熱動弁７８を介して図示しない床暖房マットへ温水を循環させる温水チューブが接続可能となっている。
【００２６】
温水ユニット２６は、エアコン１０が冷房モードで運転しているときには、可変流量弁６８を閉じる（動作ステップ０）と共に作動を停止しているが、温水エアコン１０の暖房運転時（暖房モード）または除湿運転時（ドライモード）にポンプ６２及びバーナー７０を作動させると共に、可変流量弁６８を開いて、温水熱交換器６４と温水出口ニップル５６Ｂの間に設けられている図示しない高温サーミスタの検出温度が約８０°Ｃ程度の所定温度（例えば８２°Ｃ）となるように温水熱交換器６４を通過する温水を加熱しながら循環させる。なお、可変流量弁６８の開度（動作ステップ）は、室内温度と設定温度に応じて設定される。
【００２７】
温水ユニット２６では、水温（温水の温度）が上昇して内圧が所定値（例えば０．９ｋｇ／ｃｍＵ）以上となると、プレッシャキャップ５８の圧力弁が作動して、このプレッシャキャップ５８に設けている圧力逃がし口から温水をドレインタンク７２へ流出させて配管内の圧力上昇を防止する。また、温水ユニット２６では、温水の温度が低下して内圧が所定値未満となると、負圧弁が作動してドレインタンク７２から水を回収するようになっている。なお、ドレインタンク７２から溢れた水は、ドレイン配管接続口から排出される。
【００２８】
図３に示されるように、エアコン１０の室内機１２には、室内ユニット２２にマイクロコンピュータ（以下「マイコン１００」と言う）を備えたコントロール基板１０２が設けられている。このコントロール基板１０２には、電源基板１０４、表示基板１０６、スイッチ基板１０８と共に、パワーリレー１１０、温度ヒューズ１１２、流量可変弁６８、クロスフローファン９０を駆動するファンモータ１１４、上下フラップ５４を制御するルーバーモータ１１６が接続されている。
【００２９】
コントロール基板１０２には、電源基板１０４を介して運転用の交流電力が供給される。また、この交流電力は、パワーリレー１１０ないし端子板１４６を介して室外機１４の冷媒ユニット２４及び温水ユニット２６へ供給されるようになっている。なお、温水ユニット２６には、交流電力が直接供給され、冷媒ユニット２４には、コントロール基板１０２からの信号によってパワーリレー１１０をオンすることにより電力が供給され、コンプレッサ４０等が運転される。
【００３０】
また、コントロール基板１０２には、室内温度を検出する室温センサ１１８、室内の湿度を検出する湿度センサ１２０と共に、放熱器１８の温度を検出する温水熱交換器センサ１２２、ガス欠センサ１２４等がが接続されている。また、スイッチ基板１０８には、放熱器１６の温度を検出する熱交温度センサ１２６が接続されており、表示基板１０６には、表示ＬＥＤ１２８と共にリモコンスイッチ１３０（図２参照）との間で通信（主に受信）を行うための通信回路（または受信回路）１３２が設けられている。
【００３１】
図２に示されるように、エアコン１０は、室内機１２には、表示部８２が設けられており、この表示部８２へ向けてリモコンスイッチ１３０を操作することにより、コントロール基板１０２に操作信号が受信される。また、表示部８２には、表示ＬＥＤ１２８と共に、試験運転／通常運転の切り換えを行う運転切り換えスイッチ等が設けられている。
【００３２】
室内ユニット２２のマイコン１００は、リモコンスイッチ１３０から送信された操作信号を受信すると、この操作信号に基づいた空調運転を開始する。すなわち、マイコン１００は、リモコンスイッチ１３０によって設定された運転モード、設定温度、室内温度及び外気温度に基づいて室内ユニット２２及び冷媒ユニット２４ないし温水ユニット２６を制御し、室内が設定温度となるように空調運転を行う。
【００３３】
なお、冷媒ユニット２４は、室内ユニット２２のマイコン１００と図示しない通信線を介して接続され、通信線を介して入力される操作信号に基づいて制御される。コントロール基板１０２には、暖房信号線１４８によって温水ユニット２６が接続されており、マイコン１００は、この暖房信号線１４８を用いて温水ユニット２６を制御するようになっている。
【００３４】
図４には、冷媒ユニット２４が示されている。この冷媒ユニット２４には、端子板１５０が設けられており、この端子板１５０を介して、接続される配線によって室内ユニット２２から電力が供給される。また、この端子板１５０には、室内ユニット２２との間でシリアル通信を行うときには、この通信線も接続される。
【００３５】
この冷媒ユニット２４には、コントロール基板１５２及び整流基板１５４が設けられている。コントロール基板１５２には、マイコン１５６と共にシリアル回路１５８、スイッチング電源１６０が設けられている。
【００３６】
端子板１５０から入力される電力は、複数のノイズフィルタ、コンデンサ及び整流基板１５４によって整流、平滑化されてスイッチング電源１６０へ供給される。スイッチング電源１６０は、マイコン１５６と共にインバータ回路１６２に接続されており、インバータ回路１６２は、スイッチング電源１６０から入力される電力をマイコン１５６から出力される制御信号に応じた周波数に変換してコンプレッサモータ１６４へ出力する。これにより、コンプレッサ４０がマイコン１５６の制御信号に応じた回転数で制御される。
【００３７】
なお、マイコン１５６は、インバータ回路１６２から出力される電力の周波数がオフまたは１４Ｈｚ以上（上限は運転電流の上限による）の範囲となるように制御しており、この運転周波数によってコンプレッサ４０の能力（エアコン１０の冷房能力が制御される。
【００３８】
コントロール基板１５２には、熱交換器４２を冷却するための冷却ファン５３（図１参照）を駆動するファンモータ１６６、外気温度を検出する外気温度センサ１６８、熱交換器４２の冷媒コイルの温度を検出するコイル温度センサ１７０及びコンプレッサ４０の温度を検出するコンプレッサ温度センサ１７２が接続されている。
【００３９】
マイコン１５６は、冷房モードまたはドライモードでの運転が開始されると、室内ユニット２２のマイコン１００からの制御信号及び外気温度センサ１６８、コイル温度センサ１７０、コンプレッサ温度センサ１７２等の検出結果に基づいて、ファンモータ１６６のオン／オフ及びコンプレッサモータ１６４の運転周波数（コンプレッサ４０の能力）等を制御するようになっている。
【００４０】
一方、図５に示されるように、温水ユニット２６には、図示しないマイコンを備えたコントロール基板１７４が設けられている。このコントロール基板１７４には、電源トランス１７６、温水循環用のポンプ（ポンプモータ）６２、バーナー７０を点火するイグナイタ１７８、バーナー７０へ燃焼ガスを供給するガス電磁弁１８０Ａ、１８０Ｂ及びガス比例弁１８２、給気用のファンモータ１８４等が接続されている。このコントロール基板１７４は、室内ユニット２２の端子板１４６から供給される電力を電源トランス１７６によって変圧し、ポンプ６２等の駆動用の電力を得ている。
【００４１】
また、コントロール基板１７４には、室内ユニット２２からの信号線１４８と共に、温水熱交換器６４から送り出される温水の温度を測定する高温サーミスタ１８６、外気温度を検出する外気温度センサ１８８、ファンモータ１８４の回転検出器１９０等が接続されている。コントロール基板１７４は、信号線１４８を介して室内ユニット２２のコントロール基板１０２（マイコン１００）から送られる制御信号及び外気温度、温水温度等に基づいてバーナー７０等の温水ユニット２６内の機器を制御する。
【００４２】
なお、コントロール基板１７４には、温度ヒューズ１９２、ハイリミットスイッチ１９４等が接続され、温水ユニット２６に床暖マットが接続されるときには、コントロール基板１７４に熱動弁７８及び信号線８４が接続される。また、コントロール基板１７４には、ポンプ試験端子１９６、外部との通信用の動作モニタ用端子１９８と共に、設定スイッチ２００、燃焼ランプ２０２、故障時のエラーコード等を表示する故障表示ＬＥＤ２０４、メンテナンス用スイッチ２０６、二次圧調整ボリューム２０８等が設けられている。
【００４３】
図６乃至図８には、室内機１２の概略断面を示している。この室内機１２には、図示しない室内の壁面に固定される取付ベース９２の上下（紙面上下）に係止されるケーシング９４内に室内ユニット２２が収容されている。このケーシング９４内には、中央部にクロスフローファン９０が配置されている。
【００４４】
ケーシング９４には、上面（各図の紙面上方側）の内方に隣接して放熱器１８が配置されており、前面（各図の紙面左方側）の内方に蒸発器１６が配置されている。すなわち、室内機１２には、蒸発器１６と放熱器１８が別々にクロスフローファン９０に対抗されて配置されている。
【００４５】
また、ケーシング９４には、放熱器１８の上方に放熱器１８に対応する第第１の吸い込み口となる吸込み口９６が形成されている。また、ケーシング９４の前面には、蒸発器１６に対応する第２の吸い込み口となる吸込み口９８が形成されている。これにより、室内機１２では、クロスフローファン９０の作動によって吸込み口９６から吸い込まれる空気が放熱器１８を通過してクロスフローファン９０へ至り、吸込み口９８から吸い込まれる空気が蒸発器１６を通過してクロスフローファン９０へ至るようになっている。
【００４６】
すなわち、ケーシング９４内には、吸込み口９６から放熱器１８を経てクロスフローファン９０に至る風路と、吸込み口９８から蒸発器１６を経てクロスフローファン９０に至る風路とが別々に形成されている。なお、ケーシング９４の内方には、吸込み口９６から吸込み口９８にかけてフィルタ８８が配置されるようになっており、このフィルタ８８によって、ケーシング９４内に吸引される空気中の塵や埃等が除去される。
【００４７】
したがって、放熱器１８に温水が循環されているときに、吸込み口９６から室内の空気が吸込まれて放熱器１８を通過することにより、吸込まれた空気が加熱される。また、蒸発器１６へ冷媒が循環されているときに、吸込み口９８から室内の空気が吸込まれて蒸発器１６を通過することにより、吸込まれた空気が冷却ないし除湿される。
【００４８】
一方、ケーシング９４の前面の下部には、吹出し口５０が形成されており、放熱器１８ないし蒸発器１６を通過した空気が、クロスフローファン９０によって吹出し口５０から空調風として室内へ吹き出される。
【００４９】
この吹出し口５０には、左右フラップ５２と共に上下フラップ５４が設けられている。上下フラップ５４は、前記したルーバーモータ１６の作動によって吹出し口５０から吹き出される空調風の吹出し方向を上下方向へ変化させる。また、左右フラップ５２は、吹出し口５０から吹き出される空気を左右方向（各図の紙面表裏方向）へ変えるようになっている。なお、左右フラップ５２は、手動によって空調風の吹出し方向を変更するものであっても良く、また、上下フラップ５４と同様にモータ等の駆動手段の駆動によって吹出し方向を変更するものであってもよい。
【００５０】
ところで、ケーシング９４内には、フィルタ８８と放熱器１８の間からフィルタ８８と蒸発器１６の間に、一対のガイドレール２１０が配置されている（図６乃至図８では一方のみ図示）。
【００５１】
図９に示されるように、一対のガードレール２１０の間には、閉塞手段としてシャッタ２１２が配置されている。シャッタ２１２は、例えば、薄肉の軽量金属、樹脂材等によって形成した帯状の板材２１４を、可撓性を持たせて連結して形成しており、それぞれの板材２１４の長手方向の両端部がガイドレール２１０に挿入され、ガイドレール２１０に案内されて一体で移動可能となっている。図６乃至図９に示されるように、このシャッタ２１２のガイドレール２１０に沿った長さは、ガイドレール２１０の全長の略半分となっている。
【００５２】
このため、図６に示されるように、シャッタ２１２がガイドレール２１０に沿って放熱器１８側の端部へ移動することにより、吸込み口９６が閉塞され、図７に示されるように、シャッタ２１２がガイドレール２１０に沿って蒸発器１６側の端部へ移動することにより吸込み口９８が閉塞される。また、図８に示されるように、シャッタ２１２がガイドレール２１０の中間位置に配置されたときには、吸込み口９６、９８の一部（約半分）が開放される。
【００５３】
ケーシング９４内には、一方のガイドレール２１０に隣接してモータ２１６が設けられている。このモータ２１６の駆動軸にはスプロケット２１８が設けられている。また、シャッタ２１２には、モータ２１６側の端部に、スプロケット２１８に対応する小孔２２０が一定間隔で形成されている。これらの小孔２２０の一部は、スプロケット２１８に係合するようになっており、スプロケット２１８が回転することにより、スプロケット２１８に係合する小孔２２０が移動し、これによってシャッタ２１２がガイドレール２１０に案内されて、放熱器１８側または蒸発器１６側へ移動するようになっている。
【００５４】
図３に示されるように、モータ２１６は、室内ユニット２２のコントロール基板１０２に接続されており、マイコン１００によって駆動が制御されるようになっている。
【００５５】
マイコン１００は、エアコン１０の運転モードが、暖房モードに設定されると、モータ２１６を駆動してシャッタ２１２をガイドレール２１０に沿って下方へ移動させて、吸込み口９８と蒸発器１６の間へ入り込んで、吸込み口９８からケーシング９４内へ室内の空気が吸込まれるのを遮る。また、マイコン１００は、エアコン１０の運転モードが冷房モードに設定されると、シャッタ２１２を吸込み口９６と放熱器１８の間へ移動し、吸込み口９６からケーシング９４内に室内の空気が吸込まれるのを遮るようになっている。
【００５６】
一方、エアコン１０は、放熱器１８への温水の循環と、蒸発器１６への冷媒の循環を同時に行う暖房ドライモードでの運転が可能となっており、マイコン１００は、暖房ドライモードに設定されると、シャッタ２１２をガイドレール２１０の中間位置に移動させるようになっている（図８参照）。これより、吸込み口９６、９８のそれぞれの一部（約半分）が開放され、吸込み口９６、９８の双方からのケーシング９４内への空気の吸引が可能となるようにしている。
【００５７】
次に本実施の形態の作用を説明する。
エアコン１０では、リモコンスイッチ１３０の操作によって運転モード、設定温度等が設定され、運転開始が指示されると、設定された運転モード、設定温度、室内温度、室内湿度に基づいて、室内が設定温度となるようにリモコンスイッチ１３０によって選択された運転モードでの空調運転を開始する。
【００５８】
例えば、暖房モードが選択されたときには、温水ユニット２６のガスバーナー７０が点火して、温水熱交換器６４内の水を加熱して外気温度及び設定温度に基づいた温水を生成しながら、ポンプ６２を作動させて温水の循環を開始する。これと共に室内ユニット２２では、設定温度と室内温度等に基づいて流量可変弁６８の開度ステップを設定し、設定されたステップで流量可変弁６８を開く。
【００５９】
これによって、エアコン１０の室内ユニット２２では、放熱器１８へ所定の圧力で循環される温水によって放熱器１８を通過する空気を加熱して、吹出し口５０から室内へ向けて吹き出す。
【００６０】
一方、エアコン１０で冷房運転を行うときには、外気温度や室内温度と設定温度及び室内湿度と設定湿度等に基づいて室外機１４に設けている冷媒ユニット２４のコンプレッサ４０の運転周波数を制御しながら、冷媒ユニット２４と室内ユニット２２の間で冷媒を循環させる。室内ユニット２２では、冷媒ユニット２４から供給される冷媒によって蒸発器１６を通過する空気を冷却する。これによって、室内は、室内機１２の吹出し口５０ら吹き出される冷風によって冷房される。
【００６１】
また、エアコン１０では、暖房ドライモードに設定されると、放熱器１８への温水の循環と蒸発器１６への冷媒の循環を同時に行い、放熱器１８を通過して加熱された空気と蒸発器１６を通過するときに冷却されるこにより水分が除去された空気とがクロスフローファン９０で混合され、クロスフローファン９０によって吹出し口５０から室内へ向けて吹き出される。
【００６２】
ところで、エアコン１０の室内ユニット２２に設けられているマイコン１００は、暖房モードに設定されることによりモータ２１６を駆動し、シャッタ２１２によって蒸発器１６に対応して設けられている吸込み口９８を閉塞する。これにより、クロスフローファン９０が回転すると、吸込み口９６のみから室内の空気が吸込まれる。
【００６３】
また、エアコン１０が冷房モードに設定されると、マイコン１００は、シャッタ２１２によって吸込み口９６を閉塞して、蒸発器１６に対応した吸込み口９８のみを開放する。このため、冷房モード時に、クロスフローファン９０によって吹出し口５０から室内へ吹き出される空気は、蒸発器５０によって冷却された空気のみとなる。
【００６４】
このように、エアコン１０では、シャッタ２１２を用いて、暖房時には、放熱器１８を通過した空気のみを吹出し口５０から室内へ向けて吹出し、冷房時には蒸発器１６を通過して空気のみを吹出し口５０から吹き出すようにしている。このため、吹出し口５０から吹き出される空気に暖房時に使用していない蒸発器１６を通過した空気が混じったり、冷房時に使用していない放熱器１８を通過した空気が混じることがなく、効率の良い空調が可能となる。
【００６５】
また、蒸発器１６及び放熱器１８へ向けて吸込まれる空気は、別々の吸込み口９６，９８となっているため、クロスフローファン９０が作動したときに、ケーシング９４内に吸込まれる空気は、蒸発器１６又は放熱器１８の一方のみしか通過しない。したがって、蒸発器１６と放熱器１８のそれぞれを通過するのに比べて通風抵抗が低く抑えられ、送風効率が向上されているため、同一の風量を得る場合には、クロスフローファン９０の送風能力を低くできる。
【００６６】
一方、エアコン１０の運転モードが暖房ドライに設定されると、マイコン１００は、シャッタ２１２を吸込み口９６と吸込み口９８のそれぞれの一部を開放する中間位置へ移動させる。これにより、クロスフローファン９０が作動すると、吸込み口９６、９８の何れからも室内の空気が吸込まれて、吸込み口９６から吸込まれた空気が放熱器１８によって加熱され、また、吸込み口９８から吸込まれた空気が蒸発器１６で冷却されるときに水分が除去される。したがって、室内機１２の吹出し口５０からは、放熱器１８で加熱された空気と、蒸発器１６で除湿された空気が混合されて吹き出され、この空気によって室内が除湿されながら暖房される。
【００６７】
このように、エアコン１０では、シャッタ２１２によって吸込み口９６、９８の一方を閉塞するのみでなく、吸込み口９６、９８の両方等も空気が通過するように開放することにより、暖房時と冷房時で別々に動作する熱交換器（放熱器１８と蒸発器１６）を同時に動作させた空調も可能となり、温水を用いて暖房を行うエアコン１０の効率的な運転を行うことができる。
【００６８】
なお、本実施の形態は、本発明の一例を示すものであり本発明の構成を限定するものではない。本発明は、暖房と冷房を別々の熱交換器を用いて行う空気調和機であり、且つ、暖房熱交換器を通過する空気と冷房熱交換器を通過する空気が別々に吸込まれる空気調和機であれば適用できる。
【００６９】
例えば、本実施の形態では、閉塞手段としてガイドレール２１０に沿って移動するシャッタ２１２を用いたが、吸込み口９６、９８のそれぞれに閉塞手段を設けてもよい。すなわち、吸込み口９６、９８のルーバーを可動式として、ルーバを動かすことにより吸込み口９６、９８を個別に閉塞するようにしても良い。また、シャッタ２１２は、板材２１４を繋ぎ合わせたものに限らず、可撓性を有する板材やシート材等を用いてもよい。
【００７０】
また、本実施の形態では、閉塞手段として吸込み口９６、９８を閉じるシャッタ２１２を用いたが、閉塞手段としては、蒸発器１８及び放熱器１８への空気の通過を妨げるものであれば適用が可能である。すなわち、蒸発器１６及び放熱器１８のクロスフローファン９０側にシャッタを配置するなどの種々の構成を適用できる。
【００７１】
さらに、本実施の形態では、モータ２１６の駆動軸に設けたスプロケット２１８によってシャッタ２１２を直接移動するようにしたが、ギヤボックス等の減速手段を設けても良い。また、シャッタ２１２を駆動する駆動手段は、従来公知の任意の機構を用いることができる。
【００７２】
【発明の効果】
以上説明した如く、本発明によれば、第１及び第２の吸込み部によって、冷房用熱交換器を通過する空気の通路とは別に暖房用熱交換器を通過する空気の通路を設けており、それぞれの空気の空気の通路を閉塞手段によって閉塞できるようにしているため、通風抵抗の低減を図ることができ、送風効率を向上させることができるという優れた効果が得られる。また、本発明では、加熱ないし冷却されない空気が加熱ないし冷却された空気に混じって、空調効率を低下させてしまうのを確実に防止し、効率的な空調を行うことができる。
【００７３】
また、本発明では、第１及び第２の吹出し部の双方を開放することにより、別々に作動する暖房用熱交換器と冷房用熱交換を用いた空調が可能となり、室内を暖房用熱交換器と冷房用熱交換器を用いてより快適な空調状態に維持することができる。
【図面の簡単な説明】
【図１】本実施の形態に適用したエアコンの冷媒と温水の流路を示す概略系統図である。
【図２】エアコンの室内ユニットとリモコンスイッチを示す概略斜視図である。
【図３】室内ユニットの電気回路の基板構成を示す概略図である。
【図４】冷媒ユニットの電気回路の回路構成を示す概略構成図である。
【図５】温水ユニットの電気回路の基板構成を示す概略図である。
【図６】シャッタによって蒸発器に対応する吹出し口を閉塞した状態を示す室内機の概略断面図である。
【図７】シャッタによって放熱器に対応する吹出し口を閉塞した状態を示す室内機の概略断面図である。
【図８】シャッタによって蒸発器に対応する吹出し口と放熱器に対応する吹出し口の双方を開放した状態を示す室内機の概略断面図である。
【図９】室内機に設けたシャッタを示す概略斜視図である。
【符号の説明】
１０    エアコン（空気調和機）
１２    室内機
１４    室外機
１６    蒸発器（冷房用熱交換器）
１８    放熱器（暖房用熱交換器）
２２    室内ユニット
２４    冷房ユニット
２６    温水ユニット
９０    クロスフローファン（送風手段）
９４    ケーシング
９６    吸込み口（第１の吸込み口、第１の吸込み部）
９８    吸込み口（第２の吸込み口、第２の吸込み部）
１００    マイコン（作動手段）
１０２    コントロール基板
２１０    ガイドレール（閉塞手段）
２１２    シャッタ（閉塞手段）
２１６    モータ（作動手段）
【図１】
0003583912.tif 000002
【図２】
0003583912.tif 000003
【図３】
0003583912.tif 000004
【図４】
0003583912.tif 000005
【図５】
0003583912.tif 000006
【図６】
0003583912.tif 000007
【図７】
0003583912.tif 000008
【図８】
0003583912.tif 000009
【図９】
0003583912.tif 000010